(57)【特許請求の範囲】
【請求項１】
携帯端末に対して広告情報を提供する広告提供システムであって、
ＡＴＭに設置されたデバイスから携帯端末が受信したビーコン信号の内容に基づいて携帯端末に対して広告情報を提供するビーコンプラットフォームを有し、
前記ビーコンプラットフォームは、
前記ビーコン信号を発信する前記ＡＴＭのロケーション情報が登録されたビーコンレジストリと、
前記広告情報毎にこれを特定する情報および配布条件の情報が登録されたキャンペーンレジストリと、
前記ビーコン信号を受信した携帯端末から、前記ビーコン信号に係るビーコン識別情報およびユーザに係る属性情報をネットワークを介して取得して、取得した前記ビーコン識別情報に対応する前記ＡＴＭの前記ロケーション情報を前記ビーコンレジストリから取得し、取得した前記ロケーション情報および前記ユーザに係る前記属性情報を含むコンテクスト情報に基づいて、携帯端末に対して提供する前記広告情報を前記キャンペーンレジストリから取得するキャンペーンマッチング部と、
を有し、
前記ＡＴＭおよびその周辺でのユーザの位置情報に基づいた広告を提供する、
広告提供システム。
【請求項２】
請求項１に記載の広告提供システムにおいて、
前記キャンペーンマッチング部は、さらに、前記ビーコン信号を受信した携帯端末から、前記ビーコン信号に対応する前記ＡＴＭとの間の距離に係る情報を取得し、
前記コンテクスト情報は、取得した前記距離に係る情報も含む、広告提供システム。
【請求項３】
請求項２に記載の広告提供システムにおいて、
前記ＡＴＭは、前記ユーザにより取引が行われた際に所定の時間近接距離のビーコン信号を発信する、広告提供システム。
【請求項４】
請求項３に記載の広告提供システムにおいて、
前記キャンペーンマッチング部は、前記ＡＴＭにおいて前記ユーザにより行われた前記取引の内容に係る情報を取得可能であり、
前記コンテクスト情報は、取得した前記取引の内容に係る情報も含む、広告提供システム。
【請求項５】
請求項１に記載の広告提供システムにおいて、
前記キャンペーンマッチング部は、さらに、前記ビーコン信号を受信した携帯端末から、前記ビーコン信号の受信に応じて起動された対応アプリケーションに係る情報を取得し、
前記コンテクスト情報は、取得した前記対応アプリケーションに係る情報も含む、広告提供システム。
【請求項６】
請求項１に記載の広告提供システムにおいて、
前記ロケーション情報は、前記ＡＴＭの設置場所の周辺の店舗に係る情報を含む、広告提供システム。
【請求項７】
請求項１に記載の広告提供システムにおいて、
前記キャンペーンマッチング部は、さらに、前記ユーザが保持する携帯端末毎に複数の前記ＡＴＭにおける前記ビーコン信号の受信履歴の情報を保持し、
前記コンテクスト情報は、前記ユーザが保持する携帯端末に係る前記受信履歴の情報も含む、広告提供システム。
【請求項８】
請求項１に記載の広告提供システムにおいて、
前記キャンペーンマッチング部は、さらに、前記ユーザが保持する携帯端末毎に提供した前記広告情報の提供履歴の情報を保持し、
前記コンテクスト情報は、前記ユーザが保持する携帯端末に係る前記提供履歴の情報も含む、広告提供システム。
【請求項９】
携帯端末に対して広告情報を提供する広告提供システムにおける広告提供方法であって、
前記広告提供システムは、
ＡＴＭに設置されたデバイスから発信されたビーコン信号を受信した携帯端末から、前記ビーコン信号に係るビーコン識別情報およびユーザに係る属性情報をネットワークを介して取得する第１の工程と、
前記ＡＴＭのロケーション情報が登録されたビーコンレジストリから、前記第１の工程で取得した前記ビーコン識別情報に対応する前記ＡＴＭの前記ロケーション情報を取得する第２の工程と、
前記広告情報毎にこれを特定する情報および配布条件の情報が登録されたキャンペーンレジストリから、前記第２の工程で取得した前記ロケーション情報および前記第１の工程で取得した前記ユーザに係る前記属性情報を含むコンテクスト情報に基づいて、携帯端末に対して提供する前記広告情報を取得する第３の工程と、
を有し、
前記ＡＴＭおよびその周辺でのユーザの位置情報に基づいた広告を提供する、
広告提供方法。
【請求項１０】
携帯端末に対して広告情報を提供する広告提供システムとして機能するよう、コンピュータに処理を実行させる広告提供プログラムであって、
ＡＴＭに設置されたデバイスから発信されたビーコン信号を受信した携帯端末から、前記ビーコン信号に係るビーコン識別情報およびユーザに係る属性情報をネットワークを介して取得する第１の処理と、
前記ＡＴＭのロケーション情報が登録されたビーコンレジストリから、前記第１の処理で取得した前記ビーコン識別情報に対応する前記ＡＴＭの前記ロケーション情報を取得する第２の処理と、
前記広告情報毎にこれを特定する情報および配布条件の情報が登録されたキャンペーンレジストリから、前記第２の工程で取得した前記ロケーション情報および前記第１の工程で取得した前記ユーザに係る前記属性情報を含むコンテクスト情報に基づいて、携帯端末に対して提供する前記広告情報を取得する第３の処理と、
を前記コンピュータに実行させ、
前記ＡＴＭおよびその周辺でのユーザの位置情報に基づいた広告を提供する、
広告提供プログラム。
【発明の詳細な説明】
【技術分野】
【０００１】
本発明は、ＡＴＭ（Automated Teller Machine：現金自動預け払い機）を利用したサービス提供の技術に関し、特に、全国各地の良質なロケーションに設置されたＡＴＭ網を活用してマーケティングのプラットフォームとする広告提供システム、広告提供方法、および広告提供プログラムに適用して有効な技術に関するものである。
【背景技術】
【０００２】
現在、ＡＴＭは、銀行店舗だけでなく、コンビニエンスストアを始め駅や地下街など、ユーザの消費行動の導線を押さえたロケーションに多数設置されており、高いセキュリティを備えた社会インフラとなっている。そして、ユーザにとっては現金の引き出しや振り込みなど消費行動の起点となるとともに、事業者にとってはその消費行動を捉えて把握し、ユーザに対してアクションを取るためのコンタクトポイントとなり得る重要な拠点である。
【０００３】
ＡＴＭがコンタクトポイントとなり得ることを活かした技術として、例えば、特開２００３−３２３１４３号公報（特許文献１）には、広告配信用サーバにおいてデータベースに広告情報と配信対象者の選定情報を登録しておき、ＡＴＭからユーザの取引内容の情報と設置場所の情報とを受信した場合、ユーザに適合した広告情報をデータベースから抽出し、ＡＴＭのタッチパネル式の画面に表示させることで、取引処理が終了するまでの待ち時間中にユーザに適合した広告情報を提供する技術が記載されている。
【０００４】
また、ユーザが有するスマートフォン等の携帯端末と連携する技術として、例えば、特表２０１４−５０８３３８号公報（特許文献２）には、ＡＴＭに表示されるワンタイムコードや２次元バーコード等のＡＴＭコードをスキャンすることによりＡＴＭとスマートフォン等の携帯端末を連携させ、ユーザがキャッシュカード等を保有しなくても携帯端末を利用してＡＴＭでの取引を可能とする技術が記載されている。ユーザの位置に基づくサービスを提供するためにＧＰＳ（Global Positioning System）などのセンサを用いることも可能とされている。
【０００５】
また、ＡＴＭに係るものではないが、ユーザの場所やユーザの移動方向に応じた内容の広告を提供する技術として、例えば、特開２００９−１８８９２２号公報（特許文献３）には、端末装置が、街中に配置された無線ＬＡＮ（Local Area Network）のアクセスポイント装置が放出している電波ビーコンを検知してＳＳＩＤ（Service Set Identifier）の履歴を蓄積し、所定のタイミングで当該履歴をサーバ装置に送信すると、サーバ装置が当該履歴に含まれるＳＳＩＤに対応付けられた広告情報を端末装置に送信する技術が記載されている。
【先行技術文献】
【特許文献】
【０００６】
【特許文献１】特開２００３−３２３１４３号公報
【特許文献２】特表２０１４−５０８３３８号公報
【特許文献３】特開２００９−１８８９２２号公報
【発明の概要】
【発明が解決しようとする課題】
【０００７】
特許文献１に記載された技術では、ＡＴＭの設置場所とユーザの取引内容に基づいてユーザに適合した広告を表示することができる。しかしながら、広告が表示されるのはＡＴＭのタッチパネルであるため、ＡＴＭで取引を行っていない他のユーザに対してはアプローチすることができないという制約がある。また、例えば、周囲の他の顧客や利用待ちのユーザなどにパーソナライズされた広告内容を見られ易い状況となる場合が生じ得る。
【０００８】
この点、例えば特許文献２に記載された技術では、ＡＴＭとスマートフォン等の携帯端末を連携させる構成をとっているが、あくまでＡＴＭでの取引を行うための連携であり、広告の配信という点での連携については何ら開示されていない。
【０００９】
一方、特許文献３に記載された技術では、移動中である場合も含み、アクセスポイント装置の近傍のユーザが保有する端末装置に対しても、ユーザの場所に応じた広告を表示することができる。しかしながら、ここでの技術はＡＴＭに係るものではなく、例えばＡＴＭでの取引内容なども含むユーザの属性を把握して、よりユーザに適合した広告を表示するということは考慮されていない。また、端末装置が検知したＳＳＩＤにより位置を判別することから、例えば数十ｃｍ〜数ｍのオーダーで詳細な位置情報を判別することができなかったり、実現のために細かい間隔で多数のアクセスポイント装置を設置しなければならなかったり等、適用場所が限定される場合が生じ得る。
【００１０】
そこで本発明の目的は、良質なロケーションに多数設置されているＡＴＭを利用して、ＡＴＭでの取引内容を含むユーザの属性情報や、ＡＴＭおよびその周辺でのユーザの詳細な位置情報に基づいて、ユーザにとってより適切な広告を提供することを可能とする広告提供システム、広告提供方法、および広告提供プログラムを提供することにある。
【００１１】
本発明の前記ならびにその他の目的と新規な特徴は、本明細書の記述および添付図面から明らかになるであろう。
【課題を解決するための手段】
【００１２】
本願において開示される発明のうち、代表的なものの概要を簡単に説明すれば、以下のとおりである。
【００１３】
本発明の代表的な実施の形態による広告提供システムは、携帯端末に対して広告情報を提供する広告提供システムであって、ＡＴＭに設置されたデバイスから携帯端末が受信したビーコン信号の内容に基づいて携帯端末に対して広告情報を提供するビーコンプラットフォームを有するものである。
【００１４】
そして、前記ビーコンプラットフォームは、前記ビーコン信号を発信する前記ＡＴＭのロケーション情報が登録されたビーコンレジストリと、前記広告情報毎にこれを特定する情報および配布条件の情報が登録されたキャンペーンレジストリと、前記ビーコン信号を受信した携帯端末から、前記ビーコン信号に係るビーコン識別情報およびユーザに係る属性情報をネットワークを介して取得して、取得した前記ビーコン識別情報に対応する前記ＡＴＭの前記ロケーション情報を前記ビーコンレジストリから取得し、取得した前記ロケーション情報および前記ユーザに係る前記属性情報を含むコンテクスト情報に基づいて、携帯端末に対して提供する前記広告情報を前記キャンペーンレジストリから取得するキャンペーンマッチング部と、を有する。
【００１５】
また、本発明は、上記のような広告提供システムにおける広告提供方法、およびコンピュータを上記のような広告提供システムとして動作させる広告提供プログラムにも適用することができる。
【発明の効果】
【００１６】
本願において開示される発明のうち、代表的なものによって得られる効果を簡単に説明すれば以下のとおりである。
【００１７】
すなわち、本発明の代表的な実施の形態によれば、良質なロケーションに多数設置されているＡＴＭを利用して、ＡＴＭでの取引内容を含むユーザの属性情報や、ＡＴＭおよびその周辺でのユーザの詳細な位置情報に基づいて、ユーザにとってより適切な広告を提供することが可能となる。
【図面の簡単な説明】
【００１８】
【図１】本発明の一実施の形態における広告提供システムの概要を示した図である。
【図２】本発明の一実施の形態である広告提供システムの構成例について概要を示した図である。
【図３】本発明の一実施の形態におけるビーコンレジストリを構成するビーコンロケーション情報テーブルのデータ構成の例について概要を示した図である。
【図４】本発明の一実施の形態におけるビーコンレジストリを構成するアプリケーション属性テーブルのデータ構成の例について概要を示した図である。
【図５】本発明の一実施の形態におけるキャンペーンレジストリを構成するキャンペーン情報テーブルのデータ構成の例について概要を示した図である。
【図６】本発明の一実施の形態におけるキャンペーンマッチング部が管理情報として保持する配布情報テーブルのデータ構成の例について概要を示した図である。
【図７】本発明の一実施の形態におけるキャンペーンマッチング部が管理情報として保持するユーザ履歴テーブルのデータ構成の例について概要を示した図である。
【図８】本発明の一実施の形態におけるＡＴＭシステムが保持する取引情報のデータ構成の例について概要を示した図である。
【図９】本発明の一実施の形態における予め各種の登録をしておく事前準備の処理の流れの例について概要を示したシーケンス図である。
【図１０】本発明の一実施の形態におけるユーザのスマートフォンにキャンペーンコンテンツが提供される処理の流れの例について概要を示したシーケンス図である。
【図１１】本発明の一実施の形態におけるユーザが配布された電子クーポンを利用する際の処理の流れの例について概要を示したシーケンス図である。
【発明を実施するための形態】
【００１９】
以下、本発明の実施の形態を図面に基づいて詳細に説明する。なお、実施の形態を説明するための全図において、同一部には原則として同一の符号を付し、その繰り返しの説明は省略する。一方で、ある図において符号を付して説明した部位について、他の図の説明の際に再度の図示はしないが同一の符号を付して言及する場合がある。
【００２０】
＜概要＞
本発明の一実施の形態である広告提供システムは、コンビニエンスストアや駅、地下街などの良質なロケーションに多数設置されているＡＴＭを、ユーザの消費行動を捉えて把握し適切な広告を提供するためのコンタクトポイントとして、ＡＴＭでの取引内容を含むユーザの属性情報や、ＡＴＭおよびその周辺でのユーザの詳細な位置情報に基づいて、ユーザのコンテクスト（行動属性）を理解し、ユーザにとってより適切な広告を提供するプラットフォームとなるものである。
【００２１】
本実施の形態では、後述するように、ＡＴＭおよびその周辺でのユーザの位置情報として、例えばＡＴＭから２０〜３０ｍといったオーダーに加えて、数ｍや数十ｃｍのオーダーでの詳細な位置（マイクロロケーション）を判別し、これに応じて適切な広告を提供可能とする。
【００２２】
このようなマイクロロケーションを判別する仕組みとして、近年では、極めて少ない消費電力で通信可能なＢＬＥ（Bluetooth（登録商標、以下同様） Low Energy）規格によるＢｌｕｅｔｏｏｔｈビーコンが普及しつつある。Ｂｌｕｅｔｏｏｔｈビーコンとしては、例えば、Ａｐｐｌｅ（登録商標、以下同様）社のｉＢｅａｃｏｎ（登録商標、以下同様）などがあり、これが標準搭載されているスマートフォンなどの携帯端末や、各種デバイスも提供されている。
【００２３】
そこで、本実施の形態では、各ロケーションに設置されたＡＴＭに対してＢｌｕｅｔｏｏｔｈビーコン（以下では単に「ビーコン」と省略する場合がある）信号の発信機能を付加し、ユーザが当該ビーコン信号の受信機能を有する携帯端末を保持することで、ユーザのマイクロロケーションを把握する。そして、ユーザが保持する携帯端末に対して広告を提供することで、ＡＴＭでの取引を行っている／行ったユーザに限らず、ＡＴＭの周辺に所在する他のユーザに対してもアプローチすることを可能とする。
【００２４】
なお、提供する広告の種類や内容については特に限定されず、サービス提供者におけるマーケティングに係るものであれば各種の形態、内容のコンテンツとすることができる。例えば、ＡＴＭの周辺の店舗における販売情報を提供するチラシのような広告コンテンツであってもよいし、店舗で利用可能な電子クーポンを発行するような期間限定のキャンペーンコンテンツであってもよい。また、ユーザに対するアンケートなどを含むものであってもよい。以下の本実施の形態では、ＡＴＭの周辺の店舗で利用可能な電子クーポンを発行するキャンペーンコンテンツを提供する場合を例として説明する。
【００２５】
図１は、本発明の一実施の形態における広告提供システムの概要を示した図である。図中の広告提供システム１において、ユーザ４が保持するスマートフォン４０に対してキャンペーンコンテンツ２６（図中ではキャンペーンコンテンツａ（２６ａ）〜ｃ（２６ｃ）で示される）を表示する基本的な流れの概要は以下の通りである。
【００２６】
すなわち、ビーコン信号を発信する機能を有する（ビーコン信号２３を発信するデバイスを内蔵した）ＡＴＭ２２から発信されたビーコン信号２３（図中ではビーコン信号ａ（２３ａ）〜ｃ（２３ｃ）で示される）を、ビーコン信号２３の受信機能を有するスマートフォン４０が受信し、ビーコン信号２３の内容から取得したビーコン識別情報２４（図中ではビーコン識別情報ａ（２４ａ）〜ｃ（２４ｃ）で示される）を含むリクエストを後述するビーコンプラットフォーム１０に送信する。そして、ビーコンプラットフォーム１０が、ビーコン識別情報２４等の内容に基づいて適切なキャンペーンコンテンツ２６を特定してユーザ４に提供する。
【００２７】
図１の例では、ビーコンプラットフォーム１０がキャンペーンコンテンツ２６を直接スマートフォン４０に対して提供するように示されているが、後述するように、ビーコンプラットフォーム１０により特定されたキャンペーンコンテンツ２６を他のコンテンツサーバなどが提供する構成としてもよい。
【００２８】
図１の例では、ユーザ４（正確にはスマートフォン４０）とＡＴＭ２２との距離に応じて３種類のキャンペーンコンテンツ２６の提供例を示している。Ｂｌｕｅｔｏｏｔｈビーコンでは、ビーコン信号２３の受信デバイス（スマートフォン４０）は発信デバイス（ＡＴＭ２２）との距離情報を取得することができる。本実施の形態では、スマートフォン４０が取得した距離情報はビーコン識別情報２４等とともにビーコンプラットフォーム１０へのリクエストに含まれ、ビーコンプラットフォーム１０がこれを把握することができる。
【００２９】
図１の上段の例では、コンビニエンスストア等の店舗２７内に設置されたＡＴＭ２２においてユーザ４が出金等の取引を行う場合を示している。この場合、例えば、ユーザ４によるＡＴＭ２２で取引の実行中もしくは終了後に、ＡＴＭ２２が近接距離（例えば１０センチ程度）で通信を行うための微弱なビーコン信号２３ａを一定時間発信する。その間にユーザ４がスマートフォン４０をＡＴＭ２２の所定の場所にかざすことで、スマートフォン４０がビーコン信号２３ａを受信し、ビーコン識別情報ａ（２４ａ）を取得してビーコンプラットフォーム１０に送信する。この場合は、ＡＴＭ２２の近傍にユーザ４が所在することが明らかであり、ビーコンプラットフォーム１０は、店舗２７で使用可能なクーポンや店舗２７の広告情報などをキャンペーンコンテンツ２６ａとすることができる。
【００３０】
さらに、ＡＴＭ２２で行われた取引の内容の全部もしくは一部からなる取引情報２５をビーコンプラットフォーム１０が取得可能な場合は、ビーコンプラットフォーム１０は、ビーコン識別情報２４ａに加えて取引情報２５に基づいてユーザ４の属性を把握したり行動内容を推測したりして、クーポンなどの適切なキャンペーンコンテンツ２６ａをスマートフォン４０に対して提供することができる。
【００３１】
例えば、繁華街に設置されたＡＴＭ２２において金曜日の夕方に出金取引を行ったユーザ４に対しては、これから飲食に出かけるものと推測して近隣の飲食店で利用可能なクーポンを提供することができる。また、ユーザ４の属性が外国人である場合には、近隣の免税店や観光スポットを紹介したり、自国料理のレストランで利用可能なクーポンを提供したりすることができる。
【００３２】
図１の中段の例では、ユーザ４がＡＴＭ２２での取引は行っていないものの店舗２７内には所在する場合を示している。この場合、ＡＴＭ２２は定常的に（もしくは所定の時間帯の間）ビーコン信号２３ｂを発信しており、ユーザ４が保持するスマートフォン４０はこれを受信し、ビーコン識別情報ｂ（２４ｂ）を取得してビーコンプラットフォーム１０に送信する。このときのＡＴＭ２２とスマートフォン４０との距離は、店舗２７内でのユーザ４の所在場所によって異なるが、その最大値は、店舗２７の大きさとＡＴＭ２２の設置場所に基づいてある程度の範囲（例えば約１５ｍ程度。以下では「第１範囲」と記載する場合がある）に限られる。
【００３３】
したがって、ＡＴＭ２２とスマートフォン４０との距離が第１範囲内にある場合には、ビーコンプラットフォーム１０は、ユーザ４が何らかの利用目的で店舗２７内に所在するものと推測して、例えば、店舗２７で使用可能なクーポンや店舗２７の広告情報などをキャンペーンコンテンツ２６ｂとすることができる。また、ＡＴＭ２２の利用を促すため、当該ＡＴＭ２２の設置金融機関や提携金融機関のキャンペーン等の広告情報をキャンペーンコンテンツ２６ｂとしてもよい。
【００３４】
図１の下段の例では、ユーザ４が店舗２７の外の近い場所に所在する場合を示している。この場合、ＡＴＭ２２は定常的に（もしくは所定の時間帯の間）ビーコン信号２３ｃを発信しており、ユーザ４が保持するスマートフォン４０はこれを受信し、ビーコン識別情報ｃ（２４ｃ）を取得してビーコンプラットフォーム１０に送信する。このときのＡＴＭ２２とスマートフォン４０との距離は、ユーザ４の所在場所によって異なるが、店舗２７へ誘導することも考慮すると、その最大値は、店舗２７の大きさとＡＴＭ２２の設置場所に基づいてある程度の範囲（例えば３０〜１００ｍ程度。以下では「第２範囲」と記載する場合がある）に限られる。
【００３５】
したがって、ＡＴＭ２２とスマートフォン４０との距離が第２範囲内（かつ第１範囲外）にある場合は、ビーコンプラットフォーム１０は、ユーザ４が目的は様々ではあるものの店舗２７の周辺に所在するものと推測して、例えば、店舗２７へ誘導するために、店舗２７で使用可能なクーポンや店舗２７の広告情報などをキャンペーンコンテンツ２６ｃとすることができる。また、ＡＴＭ２２の利用を促すため、当該ＡＴＭ２２の設置金融機関や提携金融機関のキャンペーン等の広告情報をキャンペーンコンテンツ２６ｃとしてもよい。また、近隣の飲食店等の店舗に係る広告情報やセール情報などをキャンペーンコンテンツ２６ｃとしてもよい。
【００３６】
なお、図１の例において、下段の例のようにＡＴＭ２２が店舗２７の外の第２範囲まで到達するビーコン信号２３ｃを発信する場合、これによって中段の例におけるビーコン信号２３ｂの機能を包含することができる。一方、中段の図においてビーコン信号２３ｂの出力をその到達範囲が店舗２７内（第１範囲）となる程度に設定した場合、下段の例のように店舗２７の外（第１範囲の外）に所在するユーザ４に対してキャンペーンコンテンツ２６ｃを提供することはできないが、このような構成をとることも当然可能である。また、上段の例における近接距離のビーコン信号２３ａを発信するために、定常的に発信しているビーコン信号２３ｂ、２３ｃに代えて一定時間ビーコン信号２３ａに切り替えて発信する構成としてもよいし、ＡＴＭ２２にビーコン発信デバイスを複数設ける構成としてもよい。
【００３７】
また、図１の例では、ＡＴＭ２２がコンビニエンスストア等の店舗２７内に設置されている場合を例として説明したが、ＡＴＭ２２の設置場所はコンビニエンスストアに限らず、スーパーマーケットやショッピングセンター、百貨店などの商業施設、銀行等の金融機関、空港、駅、高速道路のサービスエリア／パーキングエリア、各種オフィスビルなどであってもよい。いずれの場所に設置されている場合でも、上記と同様にユーザ４のマイクロロケーションに応じたキャンペーンコンテンツ２６の提供手法を適用することができる。
【００３８】
＜システム構成＞
図２は、本発明の一実施の形態である広告提供システム１の構成例について概要を示した図である。広告提供システム１は、ビーコンプラットフォーム１０とＡＴＭシステム２０およびＰＯＳ（Point of Sales）システム３０とがネットワークを介して接続された構成を有し、さらに、ビーコンプラットフォーム１０に対してユーザ４が保持するスマートフォン４０や、位置情報・アプリ情報登録者２およびキャンペーン情報登録者３が使用する情報処理端末がインターネット７０を介してアクセス可能な構成を有する。
【００３９】
ビーコンプラットフォーム１０は、例えば、サーバ機器やクラウドコンピューティング環境上の仮想サーバ等により構成されるサーバシステムからなり、例えば、図示しないＯＳ（Operating System）やＤＢＭＳ（Database Management System）、Ｗｅｂサーバプログラムなどのミドルウェア上で稼働するソフトウェアとして実装されたキャンペーンマッチング部１１を有する。また、データベースとして実装されたビーコンレジストリ１２およびキャンペーンレジストリ１３などのデータストアを有する。
【００４０】
キャンペーンマッチング部１１は、スマートフォン４０から受信したビーコン識別情報２４等のリクエストの内容、およびビーコン識別情報２４に基づいてビーコンレジストリ１２から取得したビーコン発信デバイス（もしくはＡＴＭ２２）のロケーション情報等の属性情報などに基づいて、キャンペーンレジストリ１３から適切なキャンペーンコンテンツ２６を選択・決定するマッチングエンジンの機能を有する。
【００４１】
ここでは、キャンペーンコンテンツ２６自体を取得する構成としてもよいし、キャンペーンコンテンツ２６を特定するＵＲＬ（Uniform Resource Locator）等の識別情報のみを取得し、キャンペーンコンテンツ２６自体は他のコンテンツサーバ６０によって提供する構成としてもよい。なお、ビーコンレジストリ１２の情報は位置情報・アプリ情報登録者２によって、また、キャンペーンレジストリ１３の情報はキャンペーン情報登録者３によって、それぞれ予め登録され、また更新等の管理がされているものとする。
【００４２】
スマートフォン４０から受信するリクエストには、後述するように、ビーコン識別情報２４に加えて、例えば、ＡＴＭ２２とスマートフォン４０との距離情報、スマートフォン４０がビーコン信号２３を受信した際に反応した対応アプリケーション４１の識別情報や設定内容に係る情報、スマートフォン４０を使用するユーザ４の識別情報や属性情報などが含まれる。また、ビーコン識別情報２４には、例えば、ＢｌｕｅｔｏｏｔｈビーコンにおけるＵＵＩＤ（Universally Unique Identifier）などのビーコン発信デバイスの識別情報を用いることができる。
【００４３】
また、キャンペーンマッチング部１１は、上述した図１の上段の例のようにユーザ４がＡＴＭ２２で取引を行った上でスマートフォン４０により近接距離のビーコン信号２３ａを受信してリクエストを行っている場合には、各ＡＴＭ２２の一元的な管理と取引の実行を行うＡＴＭシステム２０に登録・蓄積された取引情報２１から当該ＡＴＭ２２での取引に係る情報を取得して、その内容も判断材料として考慮してキャンペーンコンテンツ２６を選択・決定してもよい。なお、可能な場合にはＡＴＭシステム２０が保持する取引情報２１の全部もしくは一部のデータを、例えばビーコンプラットフォーム１０上にもレプリケーション等により保持して参照可能とする構成としてもよい。
【００４４】
また、キャンペーンマッチング部１１は、キャンペーンコンテンツ２６としてユーザ４のスマートフォン４０に提供された電子クーポンが店舗２７等で実際に使用された場合に、レジのＰＯＳ端末３１により読み取られた電子クーポンの情報を、各ＰＯＳ端末３１を一元的に管理するＰＯＳシステム３０を介して取得して、電子クーポンの消し込み処理を行う機能を有していてもよい。
【００４５】
ユーザ４が保持するスマートフォン４０は、ビーコン信号２３を受信する機能を搭載し、ＯＳ等の機能によって、ビーコン信号２３の受信をトリガーとして所定のアプリケーションを起動し、もしくはアクティブにする機能を有するものである。上記の所定のアプリケーションとして、１つ以上の対応アプリケーション４１がインストールされているものとし、さらにクーポン管理アプリケーション４２がインストールされていてもよい。これらの要件を満たす限り、機器の種類はスマートフォンに限定されず、タブレット端末や他の携帯情報端末を利用することができる。
【００４６】
対応アプリケーション４１は、例えば、周辺の飲食店の情報を参照することができるグルメ系アプリケーションや、商業施設が独自に提供するアプリケーション、外国人が飲食店や免税店などの情報を参照することができる旅行系アプリケーション、ＡＴＭ２２を運用する金融機関が提供するアプリケーションなどであり、電子クーポンを含むキャンペーンコンテンツ２６を受け取ることができるものである。
【００４７】
クーポン管理アプリケーション４２は、例えば、Ａｐｐｌｅ社のｉＯＳ上で稼働するＰａｓｓｂｏｏｋ（登録商標）など、各対応アプリケーション４１によって取得した電子クーポンやチケット等を一元管理することができるアプリケーションである。
【００４８】
外部広告システム５０は、他の事業者等が運用する広告提供や配信を行うシステムであり、ユーザ４の所在位置に連動した広告を提供する機能を有するものである。本実施の形態の広告提供システム１は、このような位置連動広告を提供する外部広告システム５０に対して、ユーザ４のスマートフォン４０がビーコン信号２３を受信したＡＴＭ２２の位置情報（さらにスマートフォン４０とＡＴＭ２２との間の距離情報を含んでいてもよい）をビーコンレジストリ１２に基づいて取得してこれを提供する構成としてもよい。これにより、広告提供システム１はユーザ４のマイクロロケーションのみを外部広告システム５０にサービスとして提供し、外部広告システム５０において広告情報の選択・決定とユーザ４への提供を行わせることができる。
【００４９】
＜データ構成＞
図３は、ビーコンレジストリ１２を構成するビーコンロケーション情報テーブル１２ａのデータ構成の例について概要を示した図である。ビーコンロケーション情報テーブル１２ａは、ビーコン発信デバイスのロケーション情報（本実施の形態ではＡＴＭ２２のロケーション情報と等価）および属性情報を保持するテーブルであり、例えば、ビーコン識別子、ＡＴＭ識別子、住所、緯度経度、周辺属性、最寄駅情報、およびユーザ属性などの各項目を有する。
【００５０】
ビーコン識別子の項目は、対象のＡＴＭ２２に搭載されたビーコン発信デバイスを一意に識別可能とするコード情報を保持する。ＵＵＩＤを用いることが可能であるが、ＵＵＩＤを可変とする場合にはこれとは別に不変のコード値を付番する。ＡＴＭ識別子の項目は、ＡＴＭ２２を一意に識別可能とするコード情報を保持する。ＡＴＭ２２を運営する金融機関のコード体系により付番されたコード値とすることができるが、ＡＴＭ２２にビーコン発信デバイスを１つしか搭載しない場合には上記のビーコン識別子と１対１で対応するため、これらを統合して用いてもよい。
【００５１】
住所および緯度経度の項目は、それぞれ、対象のＡＴＭ２２の設置場所の住所および緯度、経度の情報を保持する。周辺属性の項目は、対象のＡＴＭ２２の設置場所周辺の属性情報を保持する。例えば、「繁華街」や「オフィス街」、「住宅街」などを示すコード値等により指定する。複数の属性を設定できるようにしてもよい。最寄駅情報の項目は、対象のＡＴＭ２２の設置場所の最寄駅を特定する名称やコード値等の情報、および当該最寄駅までの距離を示す情報を保持する。ユーザ属性の項目は、対象のＡＴＭ２２の主な利用ユーザの属性情報を保持する。例えば、「２０代女性」や「４０代男性」などを示すコード値等により指定する。
【００５２】
図４は、ビーコンレジストリ１２を構成するアプリケーション属性テーブル１２ｂのデータ構成の例について概要を示した図である。アプリケーション属性テーブル１２ｂは、ＡＴＭ２２から発信されたビーコン信号２３をユーザ４のスマートフォン４０が受信した際に起動することができる対応アプリケーション４１に係る情報を保持するテーブルであり、例えば、アプリケーション識別子、アプリケーション名称、およびアプリケーション属性などの各項目を有する。
【００５３】
アプリケーション識別子の項目は、対象のアプリケーションを一意に識別可能とするＩＤやシーケンス番号などのコード情報を保持する。アプリケーション名称の項目は、対象のアプリケーションの表示名称の情報を保持する。例えば、「食べログ」や「パズドラ」、「ＬＩＮＥ」（いずれも登録商標）などのテキスト情報を保持する。アプリケーション属性の項目は、対象のアプリケーションの属性情報を保持する。例えば、「クーポン系アプリケーション」や「ゲームアプリケーション」、「ＳＮＳ（Social Networking Service）アプリケーション」などを示すコード値等により指定する。
【００５４】
図５は、キャンペーンレジストリ１３を構成するキャンペーン情報テーブル１３ａのデータ構成の例について概要を示した図である。キャンペーン情報テーブル１３ａは、ユーザ４のスマートフォン４０に対して提供する広告情報（本実施の形態ではキャンペーン）の内容に係る情報を保持するテーブルであり、例えば、キャンペーン識別子、配布条件−位置、配布条件−周辺属性、配布条件−ユーザ属性、配布条件−距離、配布条件−アプリケーション属性、配布条件−取引属性、配布条件−その他、キャンペーン通知メッセージ、キャンペーンＵＲＬ、およびキャンペーン内容などの各項目を有する。
【００５５】
キャンペーン識別子の項目は、対象のキャンペーンを一意に識別可能とするＩＤやシーケンス番号などのコード情報を保持する。配布条件の各項目は、対象のキャンペーンを提供する（本実施の形態では電子クーポンを配布する）条件の情報を保持する。例えば、配布条件−位置の項目は、対象のキャンペーンを提供するＡＴＭ２２が含まれる地理的範囲の情報として、中心となる緯度経度および中心からの半径の組み合わせの情報を保持する。この場合は円状の範囲が特定されるが、例えば、２地点の緯度経度を指定してこれらの地点を対角とする矩形により特定してもよい。また、住所に基づく地区名や地域名により特定してもよい。
【００５６】
また、配布条件−周辺属性の項目は、対象のキャンペーンを提供するＡＴＭ２２の周辺属性の条件の情報を保持する。例えば、「繁華街」や「オフィス街」、「住宅街」などを示すコード値により指定する。配布条件−ユーザ属性の項目は、対象のキャンペーンを提供するユーザ４の属性の条件の情報を保持する。例えば、「２０代女性」や「４０代男性」、「クーポン使用頻度の高い人」などを示すコード値により指定する。また、配布条件−距離の項目は、ビーコン信号２３を受信したスマートフォン４０のうち、対象のキャンペーンを提供するスマートフォン４０のＡＴＭ２２との距離の条件の情報を保持する。例えば、「２０ｃｍ以内」や「３０ｍ以内」、「２０ｍ〜１００ｍ」などを示す数式やコード値等により指定する。
【００５７】
また、配布条件−アプリケーション属性の項目は、スマートフォン４０がビーコン信号２３を受信した際に起動することができる対応アプリケーション４１のうち、キャンペーンを提供するアプリケーションの属性の条件の情報を保持する。例えば、「居酒屋アプリケーション」や「ゲームアプリケーション」、「ＳＮＳアプリケーション」などを示すコード値等により指定する。また、配布条件−取引属性の項目は、ＡＴＭ２２で取引を行ったユーザ４に対してキャンペーンを提供する際に、その取引内容の条件の情報を保持する。例えば、「海外口座から１万円以上の出金」などを示すコード値等により指定する。なお、取引内容の情報は後述する取引情報２１の内容から把握することができる。
【００５８】
また、配布条件−その他の項目は、上記のような定型的な項目に係る条件以外の非定型な項目に係る条件の情報を保持する。例えば、上記の配布条件−位置の項目で指定されるような静的な位置情報ではなく、「雨天の地域」や、「売上げが○○円以下の店舗」など、条件の内容が動的に変化し得る条件を設定することも可能である。この場合、条件に合致するか否かを判断するために、キャンペーンマッチング部１１が、図示しない気象情報サービスや、ＰＯＳシステム３０などの他システムや他サービスと連携できることが望ましい。
【００５９】
上記の配布条件の各項目は、いずれも複数指定することができる。また、各項目についてＡＮＤやＯＲの条件を指定して複合条件としてもよい。これらにより、例えば、「免税店が、各免税店から半径１ｋｍ以内にあるＡＴＭで海外口座での取引を行った訪日客に対して免税店で利用可能なクーポンを提供する」というような複合的な条件を設定することができる。
【００６０】
キャンペーン通知メッセージの項目は、対象のキャンペーンをユーザ４のスマートフォン４０に提供する際に通知・表示するメッセージの内容に係る情報を保持する。キャンペーンＵＲＬの項目は、ユーザ４がスマートフォン４０により対象のキャンペーンの詳細内容にアクセスする際のコンテンツサーバ６０（もしくはビーコンプラットフォーム１０）上のＵＲＬの情報を保持する。
【００６１】
キャンペーン内容の項目は、キャンペーンコンテンツ２６の内容（本実施の形態では電子クーポンのサービス内容）の情報を保持する。この情報はコンテンツサーバ６０などの外部に登録されていてもよい。キャンペーンコンテンツ２６についても、静的に登録されたものに限らず、例えば、「配布条件に合致するキャンペーンコンテンツが複数生じた場合は、広告単価の高い方とする」や、「先着○○名に限りキャンペーンコンテンツを提供する」など、動的に変化し得る条件を設定することも可能である。この場合、最終的にどのキャンペーンコンテンツ２６を提供するかを決定するために、例えば、外部広告システム５０に広告単価を問い合わせたり、ＰＯＳシステム３０に在庫を問い合わせたり等、対システムや他サービスと連携できることが望ましい。
【００６２】
図６は、キャンペーンマッチング部１１が管理情報として保持する配布情報テーブル１１ａのデータ構成の例について概要を示した図である。配布情報テーブル１１ａは、キャンペーンマッチング部１１により選択・決定されたキャンペーンコンテンツ２６（本実施の形態では電子クーポン）について、ユーザ４に対する配布状況やステータスに係る情報を保持するテーブルであり、例えば、配布済クーポン識別子、ユーザ識別子、キャンペーン識別子、およびクーポンステータスなどの各項目を有する。
【００６３】
配布済クーポン識別子の項目は、ユーザ４に対してキャンペーンにより配布されている電子クーポンを一意に識別するＩＤやシーケンス番号等のコード情報を保持する。当該識別子は全てのユーザ４およびキャンペーンを通じてユニークな値となる。ユーザ識別子の項目は、対象の電子クーポンが配布されたユーザ４を一意に識別可能とするＩＤ等のコード情報を保持する。この情報は、例えば電子クーポンの配布の対象となったユーザ４のスマートフォン４０上の対応アプリケーション４１から取得することができる。
【００６４】
キャンペーン識別子の項目は、対象の電子クーポンを配布したキャンペーンを一意に識別可能とするＩＤやシーケンス番号などのコード情報であり、図５のキャンペーン情報テーブル１３ａにおけるキャンペーン識別子の項目を外部キーとするものである。クーポンステータスの項目は、対象の電子クーポンの状態に係る情報を保持する。例えば、「配布済み」や「利用済み」、「失効」などを示すコード値等により指定する。「利用済み」や「失効」状態となってから所定の期間が経過した電子クーポンのレコードをメンテナンスの際に削除するようにしてもよい。
【００６５】
図７は、キャンペーンマッチング部１１が管理情報として保持するユーザ履歴テーブル１１ｂのデータ構成の例について概要を示した図である。ユーザ履歴テーブル１１ｂは、キャンペーンマッチング部１１がキャンペーンコンテンツ２６を提供した（もしくは提供することが可能な）ユーザ４についてのアクション、行動の履歴情報を保持するテーブルであり、例えば、ユーザ識別子、ビーコン反応履歴、およびクーポン配布履歴などの各項目を有する。
【００６６】
ユーザ識別子の項目は、対象のユーザ４を一意に識別可能とするＩＤ等のコード情報を保持するものであり、図６の配布情報テーブル１１ａにおけるユーザ識別子の項目と同内容である。ビーコン反応履歴の項目は、対象のユーザ４のスマートフォン４０がいつどのＡＴＭ２２からのビーコン信号２３に反応してキャンペーンマッチング部１１に対してキャンペーンコンテンツ２６のリクエストを送信してきたのかの履歴情報を保持する。クーポン配布履歴の項目は、対象のユーザ４のスマートフォン４０に対していつどのような電子クーポンを配布したか、および対象のユーザ４がいつどの電子クーポンを利用したかの履歴情報を保持する。
【００６７】
なお、上記のビーコン反応履歴とクーポン配布履歴の各項目は、それぞれ別個のテーブルに分割して保持するようにしてもよい。これらの履歴情報を保持し、キャンペーンマッチング部１１において解析することで、例えば、ユーザ４の行動パターンから属性情報（例えば、住んでいる地域や勤務している地域、サラリーマンか主婦かなど）を推測したり、クーポンの利用頻度が高いユーザ４に限定して電子クーポンを配布したり、というようなニーズにも対応することが可能である。
【００６８】
図８は、ＡＴＭシステム２０が保持する取引情報２１のデータ構成の例について概要を示した図である。取引情報２１は、ユーザ４がＡＴＭ２２で行った取引の内容に係る情報を保持するテーブルであり、例えば、取引番号、ＡＴＭ識別子、取引先金融機関、取引種別、および取引金額などの各項目を有する。
【００６９】
取引番号の項目は、対象の取引を一意に識別可能とするシーケンス番号等のコード情報を保持する。ビーコンプラットフォーム１０において、対象の取引が行われたＡＴＭ２２が対象の取引に際して発信したビーコン信号２３ａにおけるワンタイムＵＵＩＤの情報と上記の取引番号の値とを関連付けてもよいし、ビーコンプラットフォーム１０が取引情報２１に相当する内容を個別に保持する場合には取引番号の値に代えてワンタイムＵＵＩＤの値を保持するようにしてもよい。
【００７０】
ＡＴＭ識別子の項目は、対象の取引が行われたＡＴＭ２２を一意に識別可能とするコード情報を保持するものであり、図３のビーコンロケーション情報テーブル１２ａにおけるＡＴＭ識別子の項目と同内容である。取引先金融機関の項目は、取引の対象の金融機関を識別するコード情報もしくは名称の情報を保持する。海外金融機関の場合には対象の取引を行ったユーザ４が訪日外国人であると推測するようにしてもよい。取引種別の項目は、対象の取引の種別に係る情報を保持する。例えば、「出金」や「入金」などを示すコード値等により指定する。取引金額の項目は、対象の取引の金額に係る情報を保持する。具体的な金額を保持してもよいし、例えば、「〜１０，０００円」や「〜５０，０００円」、「それ以上」などのレンジを示すコード値等により指定してもよい。
【００７１】
なお、上述の図３〜図８で示した各テーブルのデータ構成（項目）はあくまで一例であり、同様のデータを保持・管理することが可能な構成であれば、他のテーブル構成やデータ構成であってもよい。
【００７２】
＜処理の流れ＞
以下では、本実施の形態の広告提供システム１においてＡＴＭ２２から発信されたビーコン信号２３を受信したユーザ４のスマートフォン４０に対して好適なキャンペーンコンテンツ２６が提供されるまでの処理の流れの例について説明する。
【００７３】
図９は、予め各種の登録をしておく事前準備の処理の流れの例について概要を示したシーケンス図である。事前準備では、位置情報・アプリ情報登録者２が、情報処理端末を用いてインターネット７０を介してビーコンプラットフォーム１０にアクセスし、ビーコンレジストリ１２のビーコンロケーション情報テーブル１２ａにビーコン発信デバイス（ＡＴＭ２２）のロケーション情報や属性情報を登録する（Ｓ０１）。また、ビーコンレジストリ１２のアプリケーション属性テーブル１２ｂに対応アプリケーション４１の属性情報等を登録する（Ｓ０２）。さらに、キャンペーン情報登録者３が、キャンペーンレジストリ１３のキャンペーン情報テーブル１３ａにキャンペーン情報を登録する（Ｓ０３）。
【００７４】
図１０は、ユーザ４のスマートフォン４０にキャンペーンコンテンツ２６が提供される処理の流れの例について概要を示したシーケンス図である。スマートフォン４０にキャンペーンコンテンツ２６（本実施の形態では電子クーポン）が提供される一連の処理のトリガーとして、ユーザ４がＡＴＭ２２で取引を行う場合には（Ｓ１１）、ＡＴＭ２２がディスプレイ上にキャンペーンの画面表示を行うとともに、近接距離でのビーコン信号２３ａを発信し（Ｓ１２）、ユーザ４がスマートフォン４０をＡＴＭ２２にかざすことで（Ｓ１３）、スマートフォン４０がビーコン信号２３ａを受信する（Ｓ１４）。ユーザ４がＡＴＭ２２で取引を行っていない場合には、ＡＴＭ２２が定常的に発信するビーコン信号２３をスマートフォン４０が受信する（Ｓ１４）。
【００７５】
ビーコン信号２３を受信したＡＴＭ２２は、これをトリガーとして、ビーコンプラットフォーム１０のキャンペーンマッチング部１１に対してキャンペーンコンテンツ２６のリクエストを送信する（Ｓ１５）。リクエストには、パラメータとして、例えば、受信したビーコン信号２３におけるビーコン識別子や、ＡＴＭ２２とスマートフォン４０との距離に係る情報、反応した対応アプリケーション４１のアプリケーション識別子、ユーザ識別子、対応アプリケーション４１等から得られるユーザ属性などが含まれる。
【００７６】
リクエストを受信したキャンペーンマッチング部１１は、パラメータのビーコン識別子や距離情報などからＡＴＭ２２による取引が行われているか否かを判別し、取引が行われている場合にはＡＴＭシステム２０の取引情報２１から対象のＡＴＭ２２において行われた取引に係る情報を取得する（Ｓ１６）。
【００７７】
さらに、ＡＴＭ２２での取引の有無に関わらず、ビーコン識別子をパラメータとしてビーコンレジストリ１２のビーコンロケーション情報テーブル１２ａからビーコン発信デバイス（ＡＴＭ２２）のロケーション情報や属性情報を取得するとともに、アプリケーション識別子をパラメータとしてアプリケーション属性テーブル１２ｂから対応アプリケーション４１の属性情報を取得する（Ｓ１７）。また、ユーザ識別子をパラメータとしてユーザ履歴テーブル１１ｂから対象のユーザ４のビーコン反応履歴の情報やクーポン配布履歴の情報を取得する（Ｓ１８）。
【００７８】
その後、取得した各種情報に基づいて、キャンペーンマッチング部１１は、所定のアルゴリズムや条件等によりロケーション情報や対応アプリケーション４１の属性情報、ユーザ４の属性情報などのコンテクスト情報を把握、推測し、これらをパラメータとしてキャンペーンレジストリ１３のキャンペーン情報テーブル１３ａから配布条件が合致する好適なキャンペーンコンテンツ２６の情報（キャンペーン通知メッセージおよびキャンペーンＵＲＬ）を取得する（Ｓ１９）。そして、取得したキャンペーン通知メッセージおよびキャンペーンＵＲＬの情報をスマートフォン４０に対して応答する（Ｓ２０）。
【００７９】
なお、キャンペーン通知メッセージによってキャンペーンコンテンツ２６の情報が提供されるスマートフォン４０は、キャンペーンコンテンツ２６のリクエストを送信したスマートフォン４０に限られない。すなわち、ＡＴＭ２２で取引を行った、もしくはＡＴＭ２２が定常的に発信するビーコン信号２３を受信したスマートフォン４０に限られない。これに加えて、もしくはこれに代えて、他のユーザ４（例えば、同一の地域範囲に所在する他のユーザ４）が保持するスマートフォン４０に対してキャンペーン通知メッセージを送信するようにしてもよい。
【００８０】
スマートフォン４０は、受信したキャンペーン通知メッセージを画面上に表示してユーザ４に通知する（Ｓ２１）。ユーザ４は、キャンペーン通知を閲覧し（Ｓ２２）、スマートフォン４０上のＷｅｂブラウザ等によりコンテンツサーバ６０上のキャンペーンＵＲＬにアクセスしてキャンペーンの内容を表示させる（Ｓ２３）。そして、例えば、提供される電子クーポンの保管をユーザ４が指示すると（Ｓ２４）、スマートフォン４０上のクーポン管理アプリケーション４２に対象の電子クーポンが保管され（Ｓ２５）、適宜利用可能な状態となる。このとき、クーポンが実際に配布された旨をキャンペーンマッチング部１１に通知して配布情報テーブル１１ａのクーポンステータス等を更新させるようにしてもよい。
【００８１】
図１１は、ユーザ４が配布された電子クーポンを店舗２７や周辺の飲食店等で利用する際の処理の流れの例について概要を示したシーケンス図である。まず、ユーザ４は、スマートフォン４０上のクーポン管理アプリケーション４２を操作して対象の電子クーポンを表示させる（Ｓ３１）。そして、電子クーポンの利用対象の店舗等のレジにおいてスマートフォン４０のディスプレイ上に表示された電子クーポンを提示し、ＰＯＳ端末３１が備えるハンディスキャナ等により電子クーポンを読み取らせる（Ｓ３２）。
【００８２】
ＰＯＳ端末３１は、電子クーポンを読み取ってクーポン識別子を判別すると、これをビーコンプラットフォーム１０のキャンペーンマッチング部１１に送信して連携する（Ｓ３２）。キャンペーンマッチング部１１は、配布情報テーブル１１ａを参照して対象の電子クーポンの利用可否等を判定し、キャンペーンレジストリ１３のキャンペーン情報テーブル１３ａから取得したキャンペーン内容の情報と併せてクーポン情報としてＰＯＳ端末３１に応答する（Ｓ３４）。なお、図１１の例のようにＰＯＳ端末３１とキャンペーンマッチング部１１との間のクーポン情報の連携をオンデマンドでリアルタイムに行う構成に限らず、各ＰＯＳ端末３１との間で事前にバッチ処理により連携しておく構成としてもよい。
【００８３】
その後、ＰＯＳ端末３１では、受信したクーポン情報の内容に基づいて所定の割り引き処理等のサービスを行う（Ｓ３５）。一方、キャンペーンマッチング部１１は、配布情報テーブル１１ａに登録されたクーポン情報の消し込み（ステータスの変更）（Ｓ３６）、およびスマートフォン４０上のクーポン管理アプリケーション４２に対するクーポン情報の消し込みの指示（Ｓ３７）を行う。
【００８４】
以上に説明したように、本実施の形態の広告提供システム１によれば、コンビニエンスストアや駅、地下街などの良質なロケーションに多数設置されているＡＴＭ２２を、ユーザの消費行動を捉えて把握し適切な広告を提供するためのコンタクトポイントとして、ＡＴＭ２２での取引内容を含むユーザの属性情報や、ＡＴＭ２２およびその周辺でのユーザ４の詳細な位置情報に基づいて、ユーザ４のコンテクスト（行動属性）を理解し、ユーザ４にとってより適切な広告を提供するプラットフォームを実現することができる。
【００８５】
これにより、例えば、ＡＴＭ２２を利用して取引を行ったユーザ４に対して、取引を行ったタイミングでＡＴＭ２２が近接距離のビーコン信号２３ａを発信した上で、ＡＴＭ２２の画面上に「今ならスマホを当てるとクーポンがもらえます！」などと表示し、ユーザ４がスマートフォン４０をＡＴＭ２２の所定の箇所にかざすことで電子クーポンを配布することができる。
【００８６】
具体的には、例えば、金曜日の夜に繁華街の近くのＡＴＭ２２で現金を出金したユーザ４に対して、周辺の居酒屋の時限クーポンをＡＴＭ２２の画面上でリコメンドし、ユーザ４がスマートフォン４０をかざすと「食べログ」などのグルメ系アプリケーションが反応して、これに対してクーポンをプッシュ通知もしくはダウンロードさせることができる。
【００８７】
また、例えば、訪日外国人のユーザ４が空港やコンビニエンスストアなどに設置されたＡＴＭ２２で日本円を出金した際に、周辺の免税店や多言語対応の居酒屋のクーポンをＡＴＭ２２の画面上でリコメンドし、ユーザ４がスマートフォン４０をかざすと海外旅行系アプリケーションが反応して、これに対してクーポンをプッシュ通知もしくはダウンロードさせることができる。
【００８８】
また、例えば、主婦がショッピングセンターに設置されたＡＴＭ２２で現金を出金した際に、ショッピングセンター内でバーゲンを実施している店舗のクーポンをＡＴＭ２２の画面上でリコメンドし、ユーザ４がスマートフォン４０をかざすと当該ショッピングセンターが提供する専用アプリケーションもしくはショッピング系アプリケーションが反応して、これに対してクーポンをプッシュ通知もしくはダウンロードさせることができる。
【００８９】
さらに、ＡＴＭ２２が常時ビーコン信号２３を発信する構成とすることで、ＡＴＭ２２で取引を行ったユーザ４に限らず、ＡＴＭ２２の周辺に近づいたユーザ４に対して、スマートフォン４０に対応アプリケーション４１がインストールされている場合に、当該対応アプリケーション４１に対してクーポンをプッシュ通知により配布することもできる。
【００９０】
具体的には、例えば、金曜日の夜にコンビニエンスストアに入店したユーザ４のスマートフォン４０に「食べログ」などのグルメ系アプリケーションがインストールされている場合、当該アプリケーションがビーコン信号２３に反応して（もしくはスマートフォン４０が当該アプリケーションを起動して）、これに対して周辺の居酒屋のクーポンをプッシュ通知もしくはダウンロードさせることができる。このとき、無条件に全ユーザ４にプッシュ通知するのではなく、ユーザ４の性別や年代、クーポンの利用頻度などの情報に基づいてプッシュ通知する範囲を絞り込んで精度を高めることもできる。
【００９１】
また、例えば、訪日外国人のユーザ４が空港やコンビニエンスストアなどに設置されたＡＴＭ２２に近づいた際に、ユーザ４のスマートフォン４０に海外旅行系アプリケーションがインストールされている場合、当該アプリケーションがビーコン信号２３に反応して、これに対して周辺の免税店や多言語対応の居酒屋のクーポンをプッシュ通知もしくはダウンロードさせることができる。
【００９２】
また、例えば、主婦がショッピングセンターに設置されたＡＴＭ２２に近づいた際に、ユーザ４のスマートフォン４０に当該ショッピングセンターが提供する専用アプリケーションもしくはショッピング系アプリケーションがインストールされている場合、当該アプリケーションがビーコン信号２３に反応して、これに対してバーゲンを実施している店舗のクーポンをプッシュ通知もしくはダウンロードさせることができる。
【００９３】
以上、本発明者によってなされた発明を実施の形態に基づき具体的に説明したが、本発明は上記の実施の形態に限定されるものではなく、その要旨を逸脱しない範囲で種々変更可能であることはいうまでもない。例えば、上記の実施の形態は本発明を分かりやすく説明するために詳細に説明したものであり、必ずしも説明した全ての構成を備えるものに限定されるものではない。また、上記の実施の形態の構成の一部について、他の構成の追加・削除・置換をすることが可能である。
【産業上の利用可能性】
【００９４】
本発明は、全国各地の良質なロケーションに設置されたＡＴＭ網を活用してマーケティングのプラットフォームとする広告提供システム、広告提供方法、および広告提供プログラムに利用可能である。
【符号の説明】
【００９５】
１…広告提供システム、２…位置情報・アプリ情報登録者、３…キャンペーン情報登録者、４…ユーザ、
１０…ビーコンプラットフォーム、１１…キャンペーンマッチング部、１１ａ…配布情報テーブル、１１ｂ…ユーザ履歴テーブル、１２…ビーコンレジストリ、１２ａ…ビーコンロケーション情報テーブル、１２ｂ…アプリケーション属性テーブル、１３…キャンペーンレジストリ、１３ａ…キャンペーン情報テーブル、
２０…ＡＴＭシステム、２１…取引情報、２２…ＡＴＭ、２３（２３ａ〜ｃ）…ビーコン信号（ビーコン信号ａ〜ｃ）、２４（２４ａ〜ｃ）…ビーコン識別情報（ビーコン識別情報ａ〜ｃ）、２５…取引情報、２６（２６ａ〜ｃ）…キャンペーンコンテンツ（キャンペーンコンテンツａ〜ｃ）、２７…店舗、
３０…ＰＯＳシステム、３１…ＰＯＳ端末、
４０…スマートフォン、４１…対応アプリケーション、４２…クーポン管理アプリケーション、
５０…外部広告システム、
６０…コンテンツサーバ、
７０…インターネット
【図１】
0006580499.tif 000002
【図２】
0006580499.tif 000003
【図３】
0006580499.tif 000004
【図４】
0006580499.tif 000005
【図５】
0006580499.tif 000006
【図６】
0006580499.tif 000007
【図７】
0006580499.tif 000008
【図８】
0006580499.tif 000009
【図９】
0006580499.tif 000010
【図１０】
0006580499.tif 000011
【図１１】
0006580499.tif 000012